(57)【特許請求の範囲】
【請求項１】
船縁に設けられたアンカに取り付けられ、釣竿を保持するロッドホルダであって、
上記アンカに載置されるベースプレートと、
当該ベースプレートに支持軸を介して回動可能に連結され、回動することによって当該ベースプレートから張り出して釣竿を支持する第１姿勢及び当該ベースプレート側に折り畳まれた第２姿勢の間で姿勢変化するサポートアームと、
上記支持軸に連結され、上記ベースプレートを貫通して上記アンカ側に延びるロックピンと、
上記サポートアームの回動動作を上記ロックピンが上記支持軸に対して交差する方向へのスライド動作に変換するカム機構とを備えたロッドホルダ。
【請求項２】
上記カム機構は、
上記サポートアームに設けられ、上記支持軸が挿通され且つ上記ベースプレートに当接する円板カムと、
上記ベースプレートに設けられ、上記支持軸を支持し且つ当該支持軸の上記方向へのスライドを案内する案内部が形成された支持フレームとを有する請求項１に記載のロッドホルダ。
【請求項３】
上記円板カムは上記サポートアームと一体的に形成されると共に上記支持軸が挿通される挿通孔が設けられており、
当該円板カムの外縁は、上記挿通孔を中心とした円弧状部と、当該円弧状部の所定の二点を連続する平面部とを有する請求項２に記載のロッドホルダ。
【発明の詳細な説明】
【技術分野】
【０００１】
この発明は、釣竿を船体等に対して保持するロッドホルダの構造に関するものである。
【背景技術】
【０００２】
図６及び図７は、従来のロッドホルダの使用態様を模式的に示す図である。
【０００３】
一般に船釣りでは、釣竿１はロッドホルダ２を介して船体に支持される（たとえば特許文献１及び特許文献２参照）。このロッドホルダ２は、船縁３に固定されたアンカ４（典型的には万力）に搭載され、釣人は、ロッドホルダ２を操作することにより釣竿１を船縁３に対して着脱することができる。
【０００４】
ロッドホルダ２は、サポートアーム８を備えた本体５と、釣竿１に取り付けられるアタッチメント６とを有する。本体５は、後述のように取付ネジ９を介してアンカ４に取り付けられる。本体５にサポートアーム８が設けられているから、実釣において釣竿１は、サポートアーム８に載置され、保持される。また、アタッチメント６が本体５のポスト７に着脱されることによって、釣竿１が船縁３に対して着脱される。アタッチメント６がポスト７に係合することによって釣竿１は安定して支持されるが、このアタッチメント６は省略されてもよい。なお、ポスト７とアタッチメント６との係合構造は既知であり、所定の操作によって両者の係合及び係合解除が行われるようになっている。
【先行技術文献】
【特許文献】
【０００５】
【特許文献１】特公昭５３−２１６６７号公報
【特許文献２】特開２００１−１００１公報
【発明の概要】
【発明が解決しようとする課題】
【０００６】
図８は、従来のロッドホルダの使用態様を示す斜視図である。
【０００７】
上記本体５は、取付ネジ９を介してアンカ４に締結されている。すなわち、取付ネジ９は、本体５を貫通してアンカ４にねじ込まれている。本体５の下面に位置決めピン５ａが突設されており、アンカ４に複数の位置決め孔４ａが設けられている。各位置決め孔４ａは、取付ネジ９を中心とする円弧上に配置されており、位置決めピン５ａは、いずれかの位置決め孔４ａに嵌合している。取付ネジ９が締め込まれると、アンカ４に対して本体５が締結固定される。釣人が取付ネジ９を操作して本体５の締結を解除すると共に上記位置決めピン５ａと位置決め孔４ａとの嵌合を解除すれば、本体５はアンカ４に対して取付ネジ９を中心として回動することができる。釣人は、本体５を回動させ、位置決めピン５ａを他の位置決め孔４ａと嵌合させると共に再び取付ネジ９を締め込むことにより、本体５を他の方向に向けて固定し直すことができる。
【０００８】
実釣において釣人は、アンカ４に対する本体５の方向をしばしば変更する必要に迫られる。しかし、かかる操作は、釣人にとって一々取付ネジ９を回転させなければならず、非常に煩わしいものであった。
【０００９】
本発明はかかる背景のもとになされたものであって、その目的は、アンカに対してワンタッチで固定及び固定解除を行うことができるロッドホルダを提供することである。
【課題を解決するための手段】
【００１０】
(1) 本発明に係るロッドホルダは、船縁に設けられたアンカに取り付けられ、釣竿を保持する。このロッドホルダは、上記アンカに載置されるベースプレートと、当該ベースプレートに支持軸を介して回動可能に連結され、回動することによって当該ベースプレートから張り出して釣竿を支持する第１姿勢及び当該ベースプレート側に折り畳まれた第２姿勢の間で姿勢変化するサポートアームと、上記支持軸に連結され、上記ベースプレートを貫通して上記アンカ側に延びるロックピンと、上記サポートアームの回動動作を上記ロックピンが上記支持軸に対して交差する方向へのスライド動作に変換するカム機構とを備えている。
【００１１】
この構成によれば、サポートアームはベースプレートに設けられており、このサポートアームは、支持軸を中心として回動自在である。釣人がサポートアームを回動させることにより、当該サポートアームは、ベースプレート側に折り畳まれ（第２姿勢）、あるいはベースプレートから張り出す（第１姿勢）。サポートアームが第１姿勢に変化すると、釣竿を支持することができ、第２姿勢に変化すると、コンパクトに収納され得る。サポートアームの回動動作は、カム機構を介して上記支持軸のスライド動作に変換される。この支持軸にロックピンが連結されているから、サポートアームが回動されると、上記支持軸及びロックピンが、所定方向（上記支持軸に対して交差する方向）にスライドする。このロックピンは、上記ベースプレートを貫通して上記アンカ側に延びているから、上記ロックピンがスライドすることによって当該ロックピンは、上記アンカに対して接離することになる。すなわち、ロックピンのスライドによって上記アンカ及び上記ベースプレートの固定又は固定解除が可能となる。
【００１２】
(2) 上記カム機構は、上記サポートアームに設けられ、上記支持軸が挿通され且つ上記ベースプレートに当接する円板カムと、上記ベースプレートに設けられ、上記支持軸を支持し且つ当該支持軸の上記方向へのスライドを案内する案内部が形成された支持フレームとを備えて構成される。
【００１３】
この構成では、上記サポートアームが回動されることにより円板カムが回転する。この円板カムは上記ベースプレートに当接しており、当該当接点からサポートアームの回動中心（すなわち上記支持軸の中心）までの距離は、円板カムの回転に伴って変化する。つまり、上記回動軸及びロックピンが上記ベースプレートに対して上記方向にスライドすることになる。このように、円板カムが採用されることにより、上記ロックピンのスライドが簡単且つ確実である。
【００１４】
(3) 上記円板カムは上記サポートアームと一体的に形成されると共に上記支持軸が挿通される挿通孔が設けられており、当該円板カムの外縁は、上記挿通孔を中心とした円弧状部と、当該円弧状部の所定の二点を連続する平面部とを有するのが好ましい。
【００１５】
この構成によれば、サポートアームの構造がきわめて簡単である。しかも、円板カムの形状も簡単であり、カム機構も簡素化される。
【発明の効果】
【００１６】
この発明によれば、釣人は、サポートアームを回動させるだけで、カム機構を介してロックピンを操作し、アンカに対してベースプレートを固定し、又は固定を解除することができる。すなわち、釣人は、ワンタッチ動作にてロッドホルダをアンカに対してロックしたりロックを解除することができるので、実釣においてロッドホルダの向きを容易に変更することができる。
【図面の簡単な説明】
【００１７】
【図１】図１は、本発明の一実施形態に係るロッドホルダの外観斜視図である。
【図２】図２は、本発明の一実施形態に係るロッドホルダの分解斜視図である。
【図３】図３は、本発明の一実施形態に係るロッドホルダの使用状態における断面図である。
【図４】図４は、本発明の一実施形態に係るロッドホルダの使用状態における断面図である。
【図５】図５は、本発明の一実施形態に係るロッドホルダの使用状態における断面図である。
【図６】図６は、従来のロッドホルダの使用態様を模式的に示す図である。
【図７】図７は、従来のロッドホルダの使用態様を模式的に示す図である。
【図８】図８は、従来のロッドホルダの使用態様を示す斜視図である。
【発明を実施するための形態】
【００１８】
以下、本発明の好ましい実施形態が、適宜図面が参照されつつ説明される。なお、本実施の形態は、本発明に係るロッドホルダの一態様にすぎず、本発明の要旨を変更しない範囲で実施態様が変更されてもよいことは言うまでもない。
【００１９】
図１は、本発明の一実施形態に係るロッドホルダ１０の外観斜視図である。図２は、ロッドホルダ１０の分解斜視図である。
【００２０】
このロッドホルダ１０は、一般に船釣りに供され、釣竿を船縁にセットする際に使用されるものである。図１が示すように、ロッドホルダ１０は、万力１１（特許請求の範囲に記載された「アンカ」に相当）に搭載されるようになっており、この万力１１が図示されていない船縁に固定される。
【００２１】
図２が示すように、ロッドホルダ１０は、ベースブロック１２と、このベースブロック１２に支持軸１３を介して設けられたサポートアーム１４と、支持軸１３に連結されたロックピン１５と、サポートアーム１４及びベースブロック１２の間に介在されたカム機構１６とを備えている。本実施形態に係るロッドホルダ１０の特徴とするところは、カム機構１６が設けられている点である。このカム機構１６によって、サポートアーム１４の回動動作がロックピン１５のスライド動作（上下方向１７に沿うスライド動作）に変換される。このスライドするロックピン１５によって、ベースブロック１２が万力１１に対して固定され、あるいは固定状態が解除されるようになっている。
【００２２】
図３乃至図５は、ロッドホルダ１０の使用状態における断面図である。これらの図は、カム機構１６の動作をも示している。
【００２３】
図１〜図３が示すように、ベースブロック１２は、ステンレス鋼その他の鉄鋼材料、アルミニウム合金、チタン合金その他の非鉄合金、又は樹脂から構成され得る。ベースブロック１２は、万力１１の上面３０に載置されるベースプレート１８と、ベースプレート１８の前端部及び後端部にそれぞれ設けられたエプロン１９及びポスト２０と、ベースプレート１８の中央部に立設された支持フレーム２１とを有する。
【００２４】
万力１１は、ステンレス鋼その他の鉄鋼材料、アルミニウム合金、チタン合金その他の非鉄合金、又は樹脂から構成され得る。万力１１の形状は特に限定されるものではないが、本実施形態では図１が示すようにＣ字状に形成されている。万力１１の上面３０に孔５１が設けられている。この孔５１は、上記上面３０の前方（前後方向３２の前側：図３において図中左側）に設けられている。この孔５１は、万力１１を貫通しており、同図が示すように大径部及び小径部を有する。この孔５１に後述のロックピン１５が挿通されるようになっている。この孔５１を中心とする仮想円弧上に、複数の位置決め孔５６が設けられている。すなわち、各位置決め孔５６は、上記孔５１を中心として放射状に配置されている。位置決め孔５６の数は、特に限定されるものではない。
【００２５】
前後方向３２ベースプレート１８は、平板状に形成され、軽量化のために適宜肉抜き凹部２２が設けられている。もっとも、この肉抜き凹部２２は省略されてもよい。ベースプレート１８の下面に位置決めピン５５が突設されている。この位置決めピン５５は、万力１１の上面３０に設けられた位置決め孔５６と嵌合する。
【００２６】
支持フレーム２１は、一対の側板２３、２４からなり、これらは左右方向に沿って対向している。図２が示すように、一対の側板２３、２４に上下方向１７（特許請求の範囲に記載された「支持軸に対して交差する方向」に相当）に沿って溝２６（特許請求の範囲に記載された「案内部」に相当）が形成されている。すなわち、一対の溝２６が左右方向２７（図３において紙面に垂直な方向）に沿って対向している。各溝２６の深さは所定寸法に設定されており、対向する一対の溝２６の底面２８間の距離は、上記支持軸１３の長さ（軸方向寸法）に対応している。また、各溝２６の幅寸法２９は、支持軸１３の外径に対応している。つまり、支持軸１３は、一対の溝２６に嵌め合わされ、上下方向２５にスライドすることができるようになっている。
【００２７】
図２が示すように、支持軸１３は、円柱状に形成されており、典型的にはステンレス鋼から構成される。支持軸１３の外径は、前述のように溝２６の幅寸法２９に対応されている。支持軸１３の中央に上下方向１７に沿って孔３１が設けられている。また、支持軸１３の中央に前後方向３２に沿ってネジ孔３３が設けられている。このネジ孔３３は、上記孔３１と直交しており、支持軸１３の内部で交差して連通している。このネジ孔３３に後述のイモネジ３４がねじ込まれるようになっている。
【００２８】
ロックピン１５は、円柱状に形成されており、本体３５及びフランジ３６を備えている。これらは、典型的にはステンレス鋼からなる。フランジ３６は、本体３５の下端に螺合されており、本体３５に対してその長手方向に沿って相対的に変位することができるようになっている。すなわち、本体３５及びフランジ３６は、ボルト・ナット螺合構造を構成しており、フランジ３６が本体３５に対して回転することにより、フランジ３６が本体３５に対してスライドすることができる。フランジ３６の位置決めのために２つのフランジ３６が本体３５に螺合され、いわゆるダブルナット構造が採用されてもよい。もっとも、フランジ３６が本体３５と一体的に形成されていてもよい。
【００２９】
本体３５の外径は、支持軸１３の孔３１の内径に対応しており、本体３５及び支持軸１３は、所定のはめあい交差にて嵌合する。本体３５が上記孔３１に挿入された状態で、上記イモネジ３４が支持軸１３のネジ孔３３にねじ込まれる。これにより、イモネジ３４が本体３５の周面に押圧され、本体３５が支持軸１３に固定される。本実施形態では本体３５に座部３７が形成されている。これにより、イモネジ３４の先端が座部３７に安定的に押圧されるので、本体３５が確実に支持軸１３に固定される。もっとも、座部３７は省略されてもよい。
【００３０】
ロックピン１５は上記カム機構１６の構成要素であり、支持軸１３と共にベースプレート１８に組み付けられる。この組付要領については後述される。
【００３１】
ベースプレート１８の中央部に上下方向１７に貫通する貫通孔３８が設けられている。支持軸１３が支持フレーム２１の溝２６に嵌め込まれた状態で、ロックピン１５は垂下して上記貫通孔３８に挿入するようになっている。図３が示すように、本実施形態では、貫通孔３１にスリーブ３９が嵌め込まれており、上記ロックピン１５は、スリーブ３９にサポートされた状態で貫通孔３８を貫通する。後に詳述されるが、支持軸１３が溝２６に沿って上下方向１７にスライドすると、ロックピン１５もスリーブ３９にサポートされつつ貫通孔３８に沿って上下方向１７にスライドすることになる。
【００３２】
図２が示すように、ベースプレート１８の後端部に一対の支持アーム４０、４１が形成されている。これら支持アーム４０、４１の間にポスト２０が配置されている。ポスト２０は、連結軸４２を介してベースプレート１８に回動自在に連結されている。これにより、ポスト２０は、連結軸４２を揺動中心として前後方向３２に揺動することができるようになっている。ポスト２０は、同図が示すように円筒状を呈し、その構造は既知である。図示されていないが、釣竿側に固定されたアタッチメントがポスト２０に挿抜されるようになっている。もっとも、このポスト２０やアタッチメントは省略されてもよい。
【００３３】
図１及び図３が示すように、サポートアーム１４は、ボス部４３及びロッドシート部４４を備えており、これらは一体的に形成されている。サポートアーム１４を構成する材料は樹脂が好ましいが、金属が採用されてもよい。ロッドシート部４４は、既知の形状であり、断面形状が略Ｕ字状に形成されている。これにより、釣竿が容易に載置され保持されるようになっている。
【００３４】
図２が示すように、ボス部４３は、上記ロッドシート部４４と連続しており、一対の平板４５、４６（特許請求の範囲に記載された「平板カム」に相当）を備えている。一対の平板４５、４６は、左右方向２７に沿って所定の間隔を空けて対向している。平板４５、４６の外面間距離Ｄは、上記ベースプレート１８の側板２３、２４の内面間の距離に対応している。したがって、ボス部４３は、支持フレーム２１の内側に所定のはめあい交差にて嵌め込まれるようになっている。
【００３５】
平板４５、４６の中央に左右方向２７に貫通する挿通孔４７が形成されている。この挿通孔４７の内径は、支持軸１３の外径に対応されており、支持軸１３は、所定のはめあい交差にて平板４５、４６と嵌め合わされる。平板４５、４６の外縁は所定の形状に形成されており、円弧状部４８と、平面部４９とを備えている。円弧状部４８は、上記挿通孔４７を中心とする所定半径の円弧を呈する。平面部４９は、平板４５、４６が切断されたとしたならば形成されるであろう平面からなる。すなわち、平面部４９は、円弧状部４８上の所定の二点を通り、これらを連続させるように円弧状部４８を横切る平面を呈する。この平面部４９が形成されることにより、平板４５、４６は、機械要素としての平板カムを構成している。
【００３６】
支持軸１３及びロックピン１５並びにサポートアーム１４は、次の要領でベースブロック１２に対して組み付けられる。
【００３７】
支持軸１３がサポートアーム１４のボス部４３に嵌め込まれる。すなわち、支持軸１３が左右方向２７に沿って平板４５又は平板４６の外側から挿通孔４７に挿通される。支持軸１３の長さは、支持フレーム２１に設けられた溝２６の底面２８間の距離に対応されているから、平板４５、４６の外面間距離Ｄよりも大きい。したがって、支持軸１３の両端部は、平板４５、４６から外側に突出する。
【００３８】
この状態で、支持軸１３及びサポートアーム１４が支持フレーム２１に嵌め合わされる。具体的には、平板４５、４６が側板２３、２４の間に挿入されると共に、支持軸１３の両端部が溝２６に嵌め込まれる。支持軸１３が溝２６に沿って下方へスライドすることにより、サポートアーム１４の平板４５、４６がベースプレート１８の上面５０に当接する。
【００３９】
図２及び図３が示すように、ベースプレート１８の下方からロックピン１５が支持軸１３に挿入される。すなわち、ロックピン１５の本体３５がベースプレート１８の下面側から貫通孔３８に挿入され、スリーブ３９を貫通して支持軸１３の孔３１に挿入される。このとき、本体３５に対してフランジ３６がねじ込まれ、所定の位置に位置決めされる。イモネジ３４が支持軸１３のネジ孔３３にねじ込まれることにより、ロックピン１５は支持軸１３に固定される。前述のように、本実施形態では、万力１１に穴５１が開けられており、ロックピン１５のフランジ３６が万力１１を下方から抱え込むように配置されている。
【００４０】
ベースプレート１８に突設された位置決めピン５５が万力１１と係合する。具体的には、位置決めピン５５が万力１１に設けられたいずれかの位置決め孔５６と嵌め合わされる。前述のように、各位置決め孔５６は、上記孔５１を中心として放射状に配置されているから、位置決めピン５５が嵌合した位置決め孔５６がいずれであるかによって、ロッドホルダ１０の向き（サポートアーム１４の向き）が決定される。
【００４１】
このようにベースブロック１２に対して、支持軸１３及びロックピン１５並びにサポートアーム１４が組み付けられることにより、サポートアーム１４は図３乃至図５が示すように回動可能となる。そして、サポートアーム１４の平板４５、４６、及び支持軸１３を上下方向１７にスライド可能に支持する支持フレーム２１は、サポートアーム１４の回動動作をロックピン１５の上下方向１７のスライド運動に変換するカム機構１６を構成することになる。
【００４２】
サポートアーム１４が図３が示す姿勢（特許請求の範囲に記載された「第１姿勢」に相当）にあるとき、サポートアーム１４は、ベースプレート１８から前方に張り出しており、釣竿を容易に保持することができる。また、サポートアーム１４は、第１姿勢から支持軸１３を中心に可動し、図４が示す姿勢を経て図５が示す姿勢（特許請求の範囲に記載された「第２姿勢」に相当）に変化することができる。サポートアーム１４が第２姿勢に変化したとき、サポートアーム１４は、ベースプレート１８側に折り畳まれ、コンパクトに収納される。
【００４３】
なお、ベースプレート１８に姿勢ピン５２が設けられている。この姿勢ピン５２は、ベースプレート１８の前方に立設されており、当該ベースプレート１８にねじ込まれている。サポートアーム１４が第１姿勢に変化したときに姿勢ピン５２の頭部に当接するようになっている。したがって、姿勢ピン５２のねじ込み量が調整されることによって、第１姿勢にあるサポートアーム１４の起立角度が調整される。なお、姿勢ピン５２は省略されてもよい。
【００４４】
サポートアーム１４が第１姿勢にあるとき（図３参照）、ボス部４３（平板４５、４６）の円弧状部４８がベースプレート１８の上面５０に当接している。この状態で支持軸１３及びロックピン１５は上方に引き上げられ、フランジ３６によって万力１１とベースプレート１８とが互いに押圧される。位置決めピン５５が位置決め孔５６と嵌合しているから、ロッドホルダ。１０の向きが固定される。したがって、ロッドホルダ１０は、万力１１に対して固定される。
【００４５】
サポートアーム１８が第１姿勢から第２姿勢側に回動されると、図４が示すように中間姿勢となる。すなわち、ボス部４３の平面部４９がベースプレート１８の上面５０に当接する。この状態で支持軸１３及びロックピン１５は下方に移動し、フランジ３６によって万力１１とベースプレート１８との締結が解除される。つまり、万力１１に対するロッドホルダ１０の固定が解除される。これにより、ロッドホルダ１０は、ロックピン１５を中心として左右方向２７（図１において参照符合５３が示す方向に沿って）に揺動することが可能となり、位置決めピン５５が他の位置決め孔５６と嵌合することができる。位置決めピン５５と嵌合する位置決め孔５６が変更されると、ロッドホルダ１０の向きが変更される。
【００４６】
このように、サポートアーム１８の操作のみよってロッドホルダ１０が固定され、あるいは釣人の所望する方向に回動可能となる。したがって、実釣において釣人がロッドホルダ１０の向きを変更する必要が生じたとき、従来では一々取付ネジを操作する必要があったが、本実施形態に係るロッドホルダ１０では、ワンタッチ操作にて簡単に万力１１に対するロッドホルダ１０の姿勢ないし向きを調整することができる。しかも、ロッドホルダ１０の向きが変更されると、釣人は再びサポートアーム１８を第１姿勢に戻す操作を行うだけで、当該向きにロッドホルダ１０を固定し直すことができる。
【００４７】
本実施形態では、ベースプレート１８と万力１１との固定及び固定解除が上記円板カム（平板４５、４６）及びロックピン１５によって切り換えられるので、きわめて構造が簡単であり、しかも確実である。加えて、平板４５、４６は、円弧状部４８及び平面部４９のみを備えるから、カム動作がシンプルであり、上記カム機構１６が安価に構成されるという利点がある。
【００４８】
本実施形態では、上記平板４５、４６は上記円弧状部４８及び平面部４９のみを備えるが、かかる形状に限定されるものではない。たとえば、平板４５、４６の外縁が所定の曲面その他の形状を呈することにより、ロックピン１５のスライド動作が制御され、ベースプレート１８と万力１１との固定がさらに強固なものとされ得る。いずれにしても、釣人にとっては、サポートアーム１４のワンタッチ操作によって、ロッドホルダ１０の固定及び固定解除が可能である。
【００４９】
本実施形態では、図３が示すように、ロックピン１５のフランジ３６が下方から万力１１を抱える構造であるが、万力１１とロックピン１５との係合構造は特に限定されるものではなく他の種々の係合構造が採用され得る。要するに、ロックピン１５のスライド動作によって万力１１に対してベースプレート１８が固定され、または固定が解除される構造であればよい。
【符号の説明】
【００５０】
１０・・・ロッドホルダ
１１・・・万力
１２・・・ベースブロック
１３・・・支持軸
１４・・・サポートアーム
１５・・・ロックピン
１６・・・カム機構
１７・・・上下方向
１８・・・ベースプレート
２１・・・支持フレーム
２３・・・側板
２４・・・側板
２５・・・上下方向
２６・・・溝
２７・・・左右方向
２８・・・底面
３２・・・前後方向
３５・・・本体
３６・・・フランジ
３８・・・貫通孔
３９・・・スリーブ
４３・・・ボス部
４５・・・平板
４６・・・平板
４７・・・貫通孔
４８・・・円弧状部
４９・・・平面部
５０・・・上面
【図１】
0006579988.tif 000002
【図２】
0006579988.tif 000003
【図３】
0006579988.tif 000004
【図４】
0006579988.tif 000005
【図５】
0006579988.tif 000006
【図６】
0006579988.tif 000007
【図７】
0006579988.tif 000008
【図８】
0006579988.tif 000009